(57)【要約】【課題】側面板を外部から容易に取り外して、盤増設作業を効率化できるスイッチギヤ筐体を提供することを目的とする。【解決手段】本発明に係るスイッチギヤ筐体（１）は、側面板（５）と、縁辺の少なくとも一部が上方に延びた上方延部（９ａ）を有する天面板（２）と、側面板（５）の内側面と上方延部（９ａ）の外周面とを重ね合わせるように、側面板（５）と上方延部（９ａ）とを挟んで支持する上方挟持部材（１０ａ）と、を備える。【選択図】図１
2020089073.tif 000002
【特許請求の範囲】
【請求項１】
側面板と、
縁辺の少なくとも一部が上方に延びた上方延部を有する天面板と、
前記側面板の内側面と前記上方延部の外周面とを重ね合わせるように、前記側面板と前記上方延部とを挟んで支持する上方挟持部材と、
を備えることを特徴とするスイッチギヤ筐体。
【請求項２】
縁辺の少なくとも一部が後方に延びた後方延部を有する背面板と、
前記側面板の内側面と前記後方延部の外周面とを重ね合わせるように、前記側面板と前記後方延部とを挟んで支持する後方挟持部材と、
を備えることを特徴とする請求項１記載のスイッチギヤ筐体。
【請求項３】
縁辺の少なくとも一部が下方に延びた下方延部を有する底面板と、
前記側面板の内側面と前記下方延部の外周面とを重ね合わせるように、前記側面板と前記下方延部とを挟んで支持する下方挟持部材と、
を備えることを特徴とする請求項１又は２記載のスイッチギヤ筐体。
【発明の詳細な説明】
【技術分野】
【０００１】
本発明は、スイッチギヤ筐体に関する。
【背景技術】
【０００２】
特許文献１は、配電盤・制御盤の組み立て筐体について開示する。筐体は、天井板部材、側面板部材、背面板部材、底面板部材が連結して構成される。各部材は、内側に折曲げられ、互いに沿って重なり合う折曲げ接合部を備える。各部材は、折曲げ接合部にＵ形連結部材を嵌め込んで連結される。
【０００３】
尚、出願人は、本発明に関連するものとして、上記の文献を含めて、以下に記載する文献を認識している。
【先行技術文献】
【特許文献】
【０００４】
【特許文献１】特開２００３−６１２１５号公報
【特許文献２】特開平１０−１７４２２４号公報
【発明の概要】
【発明が解決しようとする課題】
【０００５】
ところで、複数のスイッチギヤを連結して並べた列盤に、さらに盤を増設する場合には列盤の側面板を取り外す必要がある。列盤増設作業の現場では、側面板を容易に取り外せることが望ましい。一般的なスイッチギヤの側面板はボルト締めされており、盤増設の際には、ボルト締めを取り外す手間を考慮して工程を組む必要があった。また、特許文献１の組み立て筐体は、ボルト締めを取り外す必要はないものの、機器が設置された盤内部からＵ形連結部材を取り外す必要があった。列盤増設作業の現場では、側面板を外部から容易に取り外せることが好ましい。
【０００６】
本発明は、上述のような課題を解決するためになされたもので、側面板を外部から容易に取り外して、盤増設作業を効率化できるスイッチギヤ筐体を提供することを目的とする。
【課題を解決するための手段】
【０００７】
本発明は、上記の目的を達成するためのスイッチギヤ筐体であって、
側面板と、
縁辺の少なくとも一部が上方に延びた上方延部を有する天面板と、
前記側面板の内側面と前記上方延部の外周面とを重ね合わせるように、前記側面板と前記上方延部とを挟んで支持する上方挟持部材と、
を備えることを特徴とする。
【０００８】
好ましくは、縁辺の少なくとも一部が後方に延びた後方延部を有する背面板と、
前記側面板の内側面と前記後方延部の外周面とを重ね合わせるように、前記側面板と前記後方延部とを挟んで支持する後方挟持部材と、
をさらに備えることを特徴とする。
【０００９】
好ましくは、縁辺の少なくとも一部が下方に延びた下方延部を有する底面板と、
前記側面板の内側面と前記下方延部の外周面とを重ね合わせるように、前記側面板と前記下方延部とを挟んで支持する下方挟持部材と、
をさらに備えることを特徴とする。
【発明の効果】
【００１０】
本発明によれば、スイッチギヤ筐体の側面板を外部から容易に取り外せるため、ボルト締めを取り外す作業が不要であり、現地での盤増設作業を効率化できる。
【図面の簡単な説明】
【００１１】
【図１】本発明の実施の形態１に係るスイッチギヤ筐体の斜視図である。
【図２】本発明の実施の形態１に係るスイッチギヤ筐体の正面左上部分を示す部分正面図である。
【図３】本発明の実施の形態１に係るスイッチギヤ筐体の左側面図である。
【図４】本発明の実施の形態１に係るスイッチギヤ筐体の正面左下部分の部分正面図である。
【図５】本発明の実施の形態１に係るスイッチギヤ筐体の正面左下部分の部分正面図である。
【図６】本発明の実施の形態１に係るスイッチギヤ筐体の部分上面図である。
【図７】本発明の実施形態に係るスイッチギヤ筐体の正面左下部分の部分正面図である。
【図８】本発明の実施の形態２に係るアングルフレームの斜視図である。
【図９】本発明の実施の形態２に係るスイッチギヤ筐体の正面左上部分の部分正面図である。
【図１０】本発明の実施の形態２に係るスイッチギヤ筐体の正面左下部分の部分正面図である。
【図１１】本発明の実施の形態２に係るスイッチギヤ筐体の正面左下部分の部分正面図である。
【図１２】本発明の実施の形態１に係るスイッチギヤ筐体の部分上面図である。
【図１３】本発明の実施の形態１に係るスイッチギヤ筐体の正面左下部分の部分正面図である。
【発明を実施するための形態】
【００１２】
以下、図面を参照して本発明の実施の形態について詳細に説明する。但し、以下に示す実施の形態において各要素の個数、数量、量、範囲等の数に言及した場合、特に明示した場合や原理的に明らかにその数に特定される場合を除いて、その言及した数にこの発明が限定されるものではない。また、以下に示す実施の形態において説明する構造等は、特に明示した場合や明らかに原理的にそれに特定される場合を除いて、この発明に必ずしも必須のものではない。尚、各図において共通する要素には、同一の符号を付して重複する説明を省略する。
【００１３】
実施の形態１．
図１は、本発明の実施の形態１に係るスイッチギヤ筐体の斜視図である。筐体１は、天面板２、底面板３、背面板４、左側面板５、右側面板６、および筐体１の前方を開閉するための前扉７で構成される。前扉７には取手８が取り付けられている。なお、本実施形態では一例として単体の筐体１について説明するが、複数のスイッチギヤを連結して並べた列盤であってもよい。列盤においては、左側面板５は、左端の盤の左側面板を意味し、右側面板６は、右端の盤の右側面板を意味する。
【００１４】
天面板２は、縁辺の少なくとも一部が上方に延びた上方延部９を有する。図１には、天面板２の左縁辺が上方に折れ曲がって形成された左上方延部９ａと、天面板２の右縁辺が上方に折れ曲がって形成された右上方延部９ｂが描かれている。
【００１５】
図２は、本発明の実施の形態１に係るスイッチギヤ筐体の正面左上部分の部分正面図である。図２に示すように、左上方挟持部材１０ａは、左側面板５の内側面と左上方延部９ａの外周面とを重ね合わせるように、左側面板５と左上方延部９ａとを挟んで支持する。同様に右上方挟持部材１０ｂは、右側面板６の内側面と右上方延部９ｂの外周面とを重ね合わせるように、右側面板６と右上方延部９ｂとを挟んで支持する。左上方挟持部材１０ａおよび右上方挟持部材１０ｂは、嵌め込み式のＵ形連結部材、クリップ状の器具であり、取り外し可能である。図１に示す例では、上方挟持部材は左右に２個ずつ配置されているが、個数に限定はない。左上方挟持部材１０ａおよび右上方挟持部材１０ｂは、例えば金属または合成樹脂などの弾性材料で構成される。
【００１６】
図３は、本発明の実施の形態１に係るスイッチギヤ筐体の左側面図である。図４は、本発明の実施の形態１に係るスイッチギヤ筐体の正面左下部分の部分正面図である。底面板３の左端部には、左側面板５の下端面を嵌め込み可能な溝１１が形成されている。同様に、底面板３の右端部には、右側面板６の下端面を嵌め込み可能な溝が形成されている（図示省略）。また、背面板４の左端部には、左側面板５の後端面を嵌め込み可能な溝１２が形成されている。同様に、背面板４の右端部には、右側面板６の後端面を嵌め込み可能な溝が形成されている（図示省略）。
【００１７】
上述のように構成された筐体１によれば、左上方挟持部材１０ａを取り外すことで、左側面板５を取り外すことができる。同様に、右上方挟持部材１０ｂを取り外すことで、右側面板６を取り外すことができる。そのため、スイッチギヤ筐体の側面板を外部から容易に取り外せるため、ボルト締めを取り外す作業が不要であり、現地での盤増設作業を効率化できる。
【００１８】
＜変形例＞
ところで、上述した図１では、天面板２は、左右の縁部全体が上方に延びた上方延部（９ａ，９ｂ）を有しているが、上方延部の形状はこれに限定されるものではない。天面板２は、縁辺の一部が上方に延びた上方延部であればよい。例えば、上方延部は、上方挟持部材により側面板と挟んで支持される突起であってもよい。
【００１９】
また、上述した筐体１においては、底面板３の左端部に左側面板５の下端面を嵌め込み可能な溝１１を設けているが、これに限定されるものではない。図５に示すように、底面板３の端部に、底面板３の縁辺が上方に折れ曲がった折曲部１６を設け、左側面板５の下端部に、折曲部１６を嵌め込み可能な溝１３を設けることとしても良い。なお、右側面板６と底面板３の右端部についても同様に構成できる。
【００２０】
また、上述した筐体１においては、背面板４の左端部に左側面板５の後端面を嵌め込み可能な溝１２を設けているが、これに限定されるものではない。図６に示すように、後方延部１４と後方挟持部材１０ｃとを備える構成としてもよい。背面板４は、縁辺の少なくとも一部が後方に延びた後方延部１４を有する。後方挟持部材１０ｃは、左側面板５の内側面と後方延部１４の外周面とを重ね合わせるように、左側面板５と後方延部１４とを挟んで支持する。右側面板６と背面板４についても同様に構成できる。
【００２１】
また、上述した筐体１においては、底面板３の左端部に左側面板５の下端面を嵌め込み可能な溝１１を設けているが、これに限定されるものではない。図７に示すように、下方延部１５と下方挟持部材１０ｄとを備える構成としてもよい。底面板３は、縁辺の少なくとも一部が下方に延びた下方延部１５を有する。下方挟持部材１０ｄは、左側面板の内側面と下方延部１５の外周面とを重ね合わせるように、左側面板５と下方延部１５とを挟んで支持する。右側面板６と底面板３についても同様に構成できる。
【００２２】
実施の形態２．
次に、図１、図３、図８〜図１３を参照して本発明の実施の形態２について説明する。本実施形態に係る筐体１は、図８に示すフレーム１７を備える。フレーム１７はＬ型アングル等を溶接などにより、略直方体形状に組み立てられている。フレーム１７を囲うように、天面板２、底面板３、背面板４、左側面板５、右側面板６、前扉７が取り付けられている（図１）。
【００２３】
図９は、本発明の実施の形態２に係るスイッチギヤ筐体の正面左上部分の部分正面図である。図９に示す構成は、天面板２と左側面板５がフレーム１７を囲うように配置されている点を除き、上述した図２と同様であるため説明は省略する。
【００２４】
図１０は、本発明の実施の形態２に係るスイッチギヤ筐体の正面左下部分の部分正面図である。底面板３の左端部には、底面板３に上方伸延部１９を設け、フレーム１７との間に左側面板５の下端面を嵌め込み可能な溝１１が形成されている。同様に、底面板３の右端部には、右側面板６の下端面を嵌め込み可能な溝が形成されている（図示省略）。また、背面板４の左端部には、背面板４に前方伸延部を設け、フレーム１７との間に左側面板５の後端面を嵌め込み可能な溝１２が形成されている（図３）。同様に、背面板４の右端部には、右側面板６の後端面を嵌め込み可能な溝が形成されている（図示省略）。
【００２５】
上述のように構成された筐体１によれば、左上方挟持部材１０ａを取り外すことで、左側面板５を取り外すことができる。同様に、右上方挟持部材１０ｂを取り外すことで、右側面板６を取り外すことができる。そのため、スイッチギヤ筐体の側面板を外部から容易に取り外せるため、ボルト締めを取り外す作業が不要であり、現地での盤増設作業を効率化できる。また、フレーム１７はＬ型アングルを特別な追加加工することなく、従来同様な加工法にて製作可能である。
【００２６】
＜変形例＞
ところで、上述した筐体１においては、底面板３の左端部に左側面板５の下端面を嵌め込み可能な溝１１を設けているが、これに限定されるものではない。図１１に示すように、左側面板５の下端部に溝１３を設け、溝１３にフレーム１７の底部を構成するアングルの上方に折れ曲がった部分が嵌め込まれるように構成することとしても良い。なお、右側面板６と底面板３の右端部についても同様に構成できる。
【００２７】
また、上述した筐体１においては、背面板４の左端部に左側面板５の後端面を嵌め込み可能な溝１２を設けているが、これに限定されるものではない。図１２に示すように、後方延部１４と後方挟持部材１０ｃとを備える構成としてもよい。背面板４は、縁辺の少なくとも一部が後方に延びた後方延部１４を有する。後方挟持部材１０ｃは、左側面板５の内側面と後方延部１４の外周面とを重ね合わせるように、左側面板５と後方延部１４とを挟んで支持する。右側面板６と背面板４についても同様に構成できる。
【００２８】
また、上述した筐体１においては、底面板３の左端部とフレーム１７の間に左側面板５の下端面を嵌め込み可能な溝１１を設けているが、これに限定されるものではない。図１３に示すように、下方延部１５と下方挟持部材１０ｄとを備える構成としてもよい。底面板３は、縁辺の少なくとも一部が下方に延びた下方延部１５を有する。下方挟持部材１０ｄは、左側面板の内側面と下方延部１５の外周面とを重ね合わせるように、左側面板５と下方延部１５とを挟んで支持する。右側面板６と底面板３についても同様に構成できる。
【００２９】
以上、本発明の実施の形態について説明したが、本発明は、上記の実施の形態に限定されるものではなく、本発明の趣旨を逸脱しない範囲で種々変形して実施することができる。
【符号の説明】
【００３０】
１  筐体
２  天面板
３  底面板
４  背面板
５  左側面板
６  右側面板
７  前扉
８  取手
９  上方延部
９ａ  左上方延部
９ｂ  右上方延部
１０ａ  左上方挟持部材
１０ｂ  右上方挟持部材
１０ｃ  後方挟持部材
１０ｄ  下方挟持部材
１１，１２，１３  溝
１４  後方延部
１５  下方延部
１６  折曲部
１７  フレーム
１９  上方伸延部
【図１】
2020089073.tif 000003
【図２】
2020089073.tif 000004
【図３】
2020089073.tif 000005
【図４】
2020089073.tif 000006
【図５】
2020089073.tif 000007
【図６】
2020089073.tif 000008
【図７】
2020089073.tif 000009
【図８】
2020089073.tif 000010
【図９】
2020089073.tif 000011
【図１０】
2020089073.tif 000012
【図１１】
2020089073.tif 000013
【図１２】
2020089073.tif 000014
【図１３】
2020089073.tif 000015